(57)【要約】【課題】画像通話中における使用者の利便性を高められる移動通信端末機及びこれを用いた画像処理方法を提供する。具体的に、画像通話中のユーザが発呼側及び被呼側の画面にアイコンを表示できる移動通信端末機及びこれを用いた画像処理方法を提供する。【解決手段】本発明の方法は、移動通信端末機を用いて少なくとも一つの端末機と画像通話を実行中に、アイコン入力モードに転換し、アイコン及び該アイコンの位置を選択するための信号を受信し、そして、その選択アイコン及び該選択アイコンの位置情報を含んだ画像制御信号を転送する。【選択図】図２
2007135195.tif 000002
【特許請求の範囲】
【請求項１】
移動通信端末機を用いた画像通話時の画像処理方法であって、
移動通信端末機を使用して少なくとも一つの端末機と画像通話を実行中にアイコン入力モードに転換し、
アイコン及び該アイコンの位置の情報を含んだ画像制御信号を発生し、
そして、前記画像制御信号を、画像通話中の前記端末機へ転送する
ことを特徴とする画像通話時の画像処理方法。
【請求項２】
前記アイコンを、ディスプレイ装置に表示中の画像に合成することを特徴とする請求項１に記載の画像通話時の画像処理方法。
【請求項３】
前記画像制御信号がパケットデータであることを特徴とする請求項１に記載の画像通話時の画像処理方法。
【請求項４】
前記アイコン及び該アイコンの位置情報は、タッチスクリーンを介して入力されることを特徴とする請求項１に記載の画像通話時の画像処理方法。
【請求項５】
前記アイコンの位置情報は、キーパッド配列状に分割された画面の少なくとも一つの位置を示すことを特徴とする請求項１に記載の画像通話時の画像処理方法。
【請求項６】
前記画像制御信号を受信する相手機を選択する過程をさらに含むことを特徴とする請求項１に記載の画像通話時の画像処理方法。
【請求項７】
前記アイコンを表示させる対象の画像を選択する過程をさらに含むことを特徴とする請求項１に記載の画像通話時の画像処理方法。
【請求項８】
前記アイコンがリアルタイム表示されることを特徴とする請求項１に記載の画像通話時の画像処理方法。
【請求項９】
移動通信端末機を使用した画像通話時の画像処理方法であって、
少なくとも一つの相手機と画像通話中に、ユーザーにより入力された第１の画像をオーバーレイバッファに格納し、
カメラにより提供される第２の画像に前記オーバーレイバッファに格納した第１の画像を合成して重畳画像とし、
該重畳画像を圧縮して圧縮画像データとし、
そして、該圧縮画像データを前記相手機へ転送する
ことを特徴とする画像通話時の画像処理方法。
【請求項１０】
前記オーバーレイバッファに前記第１の画像を一時記憶し、該一時記憶した第１の画像を前記第２の画像に合成するためのユーザーによる選択信号を待つ過程をさらに含むことを特徴とする請求項９に記載の画像通話時の画像処理方法。
【請求項１１】
ユーザーにより入力される前記第１の画像は、タッチスクリーンを介して入力されることを特徴とする請求項９に記載の画像通話時の画像処理方法。
【請求項１２】
前記圧縮画像データを受信する相手機を選択する過程をさらに含むことを特徴とする請求項９に記載の画像通話時の画像処理方法。
【請求項１３】
カメラと、
無線信号を送受信する無線送受信部と、
多数のアイコンのデータを保存したメモリと、
画像通話中に、前記メモリに保存されているアイコンの少なくとも一つを選択し、該選択アイコンの表示位置情報を入力するための入力装置と、
前記入力装置により提供される信号に応じて画像制御信号を発生し、前記無線送受信部を制御して、前記カメラにより撮像した画像と共に前記画像制御信号を画像通話相手機へ転送する制御部と、
を含んで構成されることを特徴とする移動通信端末機。
【請求項１４】
前記画像制御信号がパケットデータであることを特徴とする請求項１３に記載の移動通信端末機。
【請求項１５】
前記入力装置がタッチスクリーンを備えることを特徴とする請求項１３に記載の移動通信端末機。
【請求項１６】
前記入力装置は端末機キーパッドを含み、該端末機キーパッドを利用して、キーパッド配列状に分割された画面上の少なくとも一つの位置をアイコン表示位置として指定することができることを特徴とする請求項１３に記載の移動通信端末機。
【請求項１７】
前記画像制御信号は、前記選択アイコンのコード情報及び該選択アイコンを表示する位置情報だけを含むことを特徴とする請求項１３に記載の移動通信端末機。
【請求項１８】
前記画像制御信号は、音制御信号を含むことを特徴とする請求項１３に記載の移動通信端末機。
【請求項１９】
前記画像制御信号は、相手機のディスプレイ装置に表示されている画像に前記選択アイコンを合成するための制御信号であることを特徴とする請求項１３に記載の移動通信端末機。
【請求項２０】
カメラと、
無線信号を送受信する無線送受信部と、
前記カメラ及び前記無線送受信部を用いて少なくとも一つの相手機と画像通話を実行し、前記無線送受信部を介し受信された画像制御信号を分析し、表示中の画像における所定位置にアイコンを表示するようにディスプレイ装置を制御する制御部と、
を含んで構成されることを特徴とする移動通信端末機。
【請求項２１】
前記アイコンは、前記ディスプレイ装置に表示中の画像に合成されることを特徴とする請求項２０に記載の移動通信端末機。
【請求項２２】
カメラと、
無線信号を送受信する無線送受信部と、
画像通話中に前記カメラから提供される第１の画像に合成する第２の画像を入力するための入力装置と、
該入力装置により入力される第２の画像を格納するオーバーレイバッファと、
前記カメラにより提供される第１の画像と前記オーバーレイバッファに格納された第２の画像とを合成するための制御信号を出力し、その重畳画像を圧縮し、該圧縮データを前記無線送受信部を介して相手機へ転送する制御部と、
を含んで構成されることを特徴とする移動通信端末機。
【請求項２３】
前記入力装置がタッチスクリーンを備えることを特徴とする請求項２２に記載の移動通信端末機。
【請求項２４】
外部から前記第２の画像を読み込むインタフェースを含むことを特徴とする請求項２２に記載の移動通信端末機。
【発明の詳細な説明】
【技術分野】
【０００１】
本願は、平成１７年９月３０日出願の韓国出願番号１０−２００５−００９１８８０及び平成１８年９月１５日出願の韓国出願番号１０−２００６−００８９７４７の優先権を主張するものであり、その内容はここに享有される。
【０００２】
本発明は、移動通信端末機及びこれを用いた画像通話における画像処理方法に関し、より詳しくは、移動通信端末機及びこれを用いたアイコンの表示方法に関する。本発明は広範囲に応用が利くが、特に適しているのは、画像通話中に発呼側及び被呼側の両画面にそれぞれアイコンを表示する機能である。
【背景技術】
【０００３】
一般的に、無線データ通信は、無線送受信可能な携帯型端末機を用いて、移動中の人が文字、数字及び画像などの各種データを基地局システムを通して無線で交信する、通信機能をいう。すなわち、セルラーフォン、携帯用コンピュータ、ＰＤＡ及びＩＭＴ−２００などの各種端末機を用いて、移動中に資料を双方向交換または検索する移動通信システムである。特に、移動通信システムにおいては、１９８０年代初めに北米地域で、サービス対象地域を１０ｋｍ〜１００ｋｍ直径の六角形セルに分割し、地理的に離れたセルで同一の周波数チャネルを反復的に使用し、加入者の移動に応じてセル間で無線チャネルを切り換える機能を具現したセルラーフォン移動通信システムが最初に常用化され、急成長することになった。
【０００４】
そして、最近では、ＩＭＴ−２００という第３世代移動通信システムが開発されて用いられており、このＩＭＴ−２０００のシステムは、移動通信ユーザーの要求に応じて、ＰＳＴＮ／ＩＳＤＮ／Ｂ−ＩＳＤＮなどの固定通信網によって支援される多様な通信サービス、例えば、音声及び画像データが含まれた情報サービス網に、無線リンクを使用して接続できるようにする移動通信システムである。
【０００５】
図１は、従来の画像通話の例を示した例示図である。図示したように、端末機１，２は、内蔵したカメラを用いて撮像した画像を互いに送受信し、各ディスプレイ装置３，４を通して表示しながら音声通話を実行する。基地局５は、端末機１，２から無線で送出された呼信号を処理したり、外部システムから要求された着信号を各端末機１，２に伝送し、ページングチャネルを介してセクター内の端末機とチャネル情報を処理する。
【発明の開示】
【発明が解決しようとする課題】
【０００６】
しかしながら、従来の端末機においては、カメラによって撮像した画像信号のみの伝送が可能となっており、ユーザー所望の画像情報、文句または文字などを追加的に挿入できないという改善点がある。
【０００７】
したがって本発明は、従来技術にあった課題を解決する移動通信端末機及びこれを用いた画像通話中の画像処理方法に向けられたものであり、画像通話中におけるユーザーの利便性を高められる移動通信端末機及びこれを用いた画像通話中の画像処理方法を提供する。本発明の他の目的は、画像通話中の発呼側及び被呼側の画面にアイコンを表示できるようにした移動通信端末機及びこれを用いた画像通話中の画像処理方法を提供することにある。
【課題を解決するための手段】
【０００８】
本発明は、カメラにより撮像した画像とユーザーにより入力された表示情報とを発呼側及び被呼側の画面にオーバーレイ表示することを特徴とする。
【０００９】
本発明のその他の利点、目標、特徴は、一つには以下の記載に説明され、また一つには以下の例示により当分野で通常の知識をもっていれば明らかとなり、あるいは、本発明の実施を通して理解されるであろう。本発明の目標及びその他の利点は、添付図面とともに記載した説明及び特許請求の範囲において特に特定した構成により実現及び達成される。
【００１０】
これら目標及び他の利点を達成するため及び本発明の目的にしたがって、具体的且つ広範囲に記述すれば、本発明に係る移動通信端末機を用いた画像通話時の画像処理方法は、移動通信端末機を用いて少なくとも一つの他機と画像通話を実行中にアイコン入力モードを実行する過程と、アイコン及び該アイコンの位置の情報を含む画像制御信号を発生する過程と、画像通話中の前記他機へ画像制御信号を転送する過程と、を含むことを特徴とする。
【００１１】
好ましくは、アイコンは、ディスプレイ装置に表示されている画像にオーバーラップさせるのが良い。好ましくは、画像制御信号は、パケットデータとすることができる。好ましくは、アイコン及び位置情報は、タッチスクリーンを介し入力されるものとすることができる。好ましくは、アイコンの位置情報は、キーパッド配列状に分割した画面の少なくとも一つの位置を示すものとすることができる。
【００１２】
本発明による画像処理方法は、さらに、画像制御信号を受信する通信相手機を選択する過程を含むことができる。
【００１３】
また、本発明による画像処理方法は、さらに、アイコンを表示させる対象の画像を選択する過程を含むことができる。
【００１４】
好ましくは、アイコンは、両端末機でリアルタイムに表示される。
【００１５】
本発明の別の態様に係る移動通信端末機を用いた画像通話時の画像処理方法は、少なくとも一つの通信相手機と画像通話中に、ユーザーにより入力された第１の画像をオーバーレイバッファに格納する過程と、カメラにより提供される第２の画像に、オーバーレイバッファに格納した第１の画像を合成して重畳画像とする過程と、その重畳画像を圧縮して圧縮画像データとする過程と、その圧縮画像データを少なくとも一つの通信相手機へ転送する過程と、を含むことを特徴とする。
【００１６】
当該画像処理方法は、さらに、オーバーレイバッファに第１の画像を一時記憶し、該一時記憶した第１の画像を第２の画像に合成するためのユーザーによる選択信号を待つ過程を含むことができる。好ましくは、ユーザーにより入力される画像は、タッチスクリーンを介して入力されるものとすることができる。
【００１７】
当該画像処理方法は、さらに、圧縮画像データを受信する通信相手機を選択する過程を含むことができる。
【００１８】
本発明の別の態様に係る移動通信端末機は、カメラ（撮像装置）と、無線信号を送受信する無線送受信部と、多数のアイコンのデータを保存したメモリと、画像通話中に、前記メモリに保存されているアイコンの少なくとも一つを選択し、その選択アイコンの表示位置情報を入力するための入力装置と、該入力装置を通して提供される信号に応じて画像制御信号を発生する制御部と、を含んで構成され、当該制御部は、前記無線送受信部を制御して、前記カメラにより撮像した画像と共に前記画像制御信号を画像通話相手機へ転送することを特徴とする。
【００１９】
好ましくは、画像制御信号は、パケットデータとすることができる。好ましくは、入力装置は、タッチスクリーンを備えたものとすることができる。好ましくは、入力装置は、端末機キーパッドを含むものとし、該端末機キーパッドを利用して、キーパッド配列状に分割された画面上の少なくとも一つの位置をアイコン表示位置として決定することができるものとする。
【００２０】
好ましくは、画像制御信号は、選択アイコンのコード情報及び該選択アイコンを表示する位置情報だけを含むものとすることができる。好ましくは、画像制御信号は、音制御信号を含むものとすることができる。好ましくは、画像制御信号は、選択アイコンを転送画像に合成するための制御信号である。
【００２１】
本発明の別の態様に係る移動通信端末機は、カメラと、無線信号を送受信する無線送受信部と、これらカメラ及び無線送受信部を使用して少なくとも一つの通信相手機と画像通話する制御を実行し、前記無線送受信部を介して受信される画像制御信号を分析し、表示中の画像における所定位置にアイコンを表示するようにディスプレイ装置を制御する制御部と、を含んで構成されることを特徴とする。
【００２２】
好ましくは、アイコンは、ディスプレイ装置に表示中の画像に合成されるように通信相手機から提供される。
【００２３】
本発明の別の態様に係る移動通信端末機は、カメラと、無線信号を送受信する無線送受信部と、画像通話中に前記カメラから提供される第１の画像に合成する第２の画像を入力するための入力装置と、該入力装置により入力される第２の画像を格納するオーバーレイバッファと、前記カメラにより提供される第１の画像と前記オーバーレイバッファに格納された第２の画像とを合成するための制御信号を出力し、その重畳画像を圧縮し、該圧縮画像データを前記無線送受信部を介して他機へ転送する制御部と、を含んで構成されることを特徴とする。
【００２４】
好ましくは、当該移動通信端末機は、画像通話中に外部から入力されて画像に追加されることにより表示されるデータを読み出すインタフェースをさらに含む。
【００２５】
本発明に関する前述の広範な記載及び後述の詳細な記載は例示及び説明であり、特許請求の範囲に記載された発明の理解を助けるために提供されていることに留意しなければならない。
【発明の効果】
【００２６】
本発明によると、移動通信端末機を用いた画像通話時で、リアルタイムにアイコンコード及び位置情報を転送し、少ないデータ量で発呼側及び被呼側の両画面にアイコンを表示することができ、ダイナミックな画像チャット機能を可能にする。
【発明を実施するための最良の形態】
【００２７】
以下、本発明の好適な実施例について、添付の図面に基づいて詳細に説明する。なお、各図で同様の部分には可能な限り共通の符号を使用する。
【００２８】
以下の説明では、移動通信端末機間の画像通話（テレビ電話）を例に挙げているが、本発明の概念は、画像を伴った通信を行う二つの端末機で共通のアプリケーションが実行されるという条件であれば、移動通信端末機と、ＰＤＡやコンピュータなどの無線通信が可能な端末機との間でも具現される。また、アイコンとは、テキスト、グラフィックイメージ、アニメーションイメージ等を通称する用語である。
【００２９】
図２は、本発明に係る端末機の内部構成を概略的に示したブロック図である。
【００３０】
図示したように、本発明に係る端末機は、無線信号を送受信する無線送受信部１０と、カメラ２０と、多数のアイコンデータを保存したメモリ４０と、メモリ４０に保存されているアイコンを一つ以上選択し、その表示位置情報を入力するためのキーパッド３０と、キーパッド３０により提供される信号に応じて画像制御信号を発生し、該発生した画像制御信号を、カメラ２０により提供される画像と一緒に画像通話相手機へ転送する制御を実行し、無線送受信部１０を通して受信される画像制御信号を分析し、メモリ４０から該当するアイコン情報を読み出してディスプレイ装置８０に表示するように制御を行う制御部５０と、制御部５０の制御信号に従って、カメラ２０により提供される画像とユーザーにより指定されるアイコンとを合成するための一時記憶領域として用いられるオーバーレイバッファ９０と、カメラ２０により提供される画像に追加するためのデータを保存している外部入力装置７０とのインタフェース部６０と、を含んで構成される。
【００３１】
図３は、本発明に係る画像通話時の画像処理方法の進行過程を例示したフローチャートである。
【００３２】
まず、一つ以上の相手機との画像通話を実行する。すなわち、本発明は、１対１（１：１）の画像通話だけではなく、多者間のグループ通信にも適用可能である（Ｓ３０１）。
【００３３】
画像通話中には、スタイラスペンなどを用いたタッチスクリーンで画像を追加したり、所定のボタンを押して画像追加機能を活性化させる。本実施形態では、入力装置としてタッチスクリーンを例に挙げて説明するが、その他の入力装置も使用可能である（Ｓ３０２）。
【００３４】
図４Ａから図４Ｃは、本発明の実施形態に係る画像処理方法の進行に応じた画面表示例を示した図である。例えば、図４Ａに示すように、ユーザーＡの端末機画面にスタイラスペン１１２で触れると、図４Ｂに示すように、該当画像が拡大されたり画像の位置が変わったりして表示される。一般的に、画像通話においては、相手機から提供される画像を大きく表示し、相手機へ転送する画像は小さく表示する。このような位置関係を変更して表示されるか、又は拡大された画像で、スタイラスペン１１２を用いて画像を追加する。
【００３５】
この場合、追加画像は、オーバーレイバッファ９０に格納される。当該オーバーレイバッファ９０には、スタイラスペンを通して入力される追加画像のみが格納されるので、データ処理にかかる速度にさほど影響はない。オーバーレイバッファ９０に追加画像以外の任意のデータを持たせることで、データ量を削減することができる（Ｓ３０３）。
【００３６】
制御部５０は、オーバーレイバッファ９０に格納した画像を、カメラにより提供される画像に合成する（Ｓ３０４）。
【００３７】
そして、合成後の画像を圧縮し（Ｓ３０５）、無線送受信部１０を介して相手機へ転送する（Ｓ３０６）。図示していないが、オーバーレイバッファ９０に格納した画像及びカメラにより提供された画像を合成すると共に当該重畳画像を圧縮処理するためのコーデック部が制御部５０に備えられることは言うまでもない。
【００３８】
オーバーレイバッファ９０に格納した画像をカメラにより提供された画像に合成し、この重畳画像を圧縮して転送するので、端末機Ａから端末機Ｂへ転送される画像データ量に変化はない。すなわち、図４Ｂ及び図４Ｃに示すように、ユーザーＡの端末機で追加される画像は、相手機Ｂのディスプレイ装置にリアルタイム表示される。
【００３９】
上記の実施形態では、ユーザーＡのタッチスクリーンでイメージが追加されると、同時に相手機Ｂにもリアルタイムで表示される場合を説明している。しかし場合によっては、スタイラスペンによる追加画像完成後に、別の転送メニューを通して、完成追加画像とカメラによる現撮像画像とに対し、合成、圧縮及び転送を実施する手法も可能である。
【００４０】
図５Ａ及び図５Ｂは、本発明に係る画像通話時の画像処理方法の他の例について進行過程を示したフローチャートである。また、図６は、本発明の一実施形態に係る端末機の外観を示した例示図で、アイコン入力モードを実行するためのボタンを端末機側面に設けた例を示している。本実施形態に係る端末機１００はキーパッド１２０を含み、そのキーパッド１２０に、より詳細にはナビゲーションキー１２２の隣に、アイコン入力モード転換キー１２１が設けられている。これはあくまでも一例を示すもので、当該キーは端末機の横側面に設けたり、一般的な端末機のキーパッドにおけるボタンの一つにアイコン入力モード転換機能を割り付けることもできる。
【００４１】
図５Ａは、画像制御信号を発生して相手機へ転送する過程を示した図である。
【００４２】
カメラ付きの端末機を用いて少なくとも一つの相手機と画像通話を開始する（Ｓ５１１）。本発明の場合、１対１の通話だけでなく、多者間の画像通話にも適用され得る。すなわち、共通のアプリケーションを実行可能な多数の端末機の一つ、又はそのうちのいくつか、あるいは全部に対し、アイコン表示制御信号は転送され得る。
【００４３】
画像通話中に、アイコンにより感情を簡単かつおもしろく表現するために、ユーザーがアイコン入力モード転換キーを押す。上述したように、アイコン入力モード転換キー１２１は、キーパッド内や端末機の横側面に専用に設けることもできるし、画像通話に用いられないキーにアイコン入力モード転換キーの機能を割り当てることもできる。
【００４４】
アイコン入力モード転換キー１２１が押されると、該押されたキーから発生する入力信号に従って、アイコン入力モードが実行される（Ｓ５１２）。次いで、図７Ａに示すように、ユーザーがアイコン入力（emoticon）または文字入力（character）を選択するためのポップアップメニューを画面の一部に出力することもできる。これによると、ユーザーは、既存のアイコンの代わりに画像上に文字を書くこともできる。
【００４５】
ユーザーがアイコン入力を選択したと仮定すると、図７Ｂに示すように、画面の一部領域１１１に多数のアイコンを表示する。ユーザーは、ナビゲーションキー１２２を用いてアイコンを選択することができる。図７Ｃは、ナビゲーションキー１２２の例示図である。図示の例では、右方向キー１２２−１又は左方向キー１２２−３を用いてユーザーはアイコン表示領域のアイコンを選択する。一方、上方向又は下方向キー１２２−４，１２２−２を用いると、アイコングループを変更することもできる。すなわち、図７Ｂの状態で下方向キー１２２−２を押すと、アイコングループが図７Ｄのように他のアイコングループに変更される（Ｓ５１３）。
【００４６】
転送するアイコンが選択キー１２２−５を用いて選択されると（Ｓ５１４）、その選択アイコンの表示位置を選択するための過程を実行する。
【００４７】
一方、ユーザーが画像通話中に画像に文字を表示する選択をした場合の進行過程は、次の通りである。
【００４８】
まず、図７Ｅに示すように、常用句（common phase）または直接入力（input directly）を選択するための画面を提供する。ここで、常用句は、一般的に多用される文句を意味し、端末機メーカーによって予め保存してあるものか、使用者によって直接保存されたものを示す。直接入力は、現在の状況に応じた文句をユーザー自身が書き込む場合に用いられる。
【００４９】
例えば、使用者により常用句が選択された場合、図７Ｆに示すように、端末機に保存されている常用句のリストを表示する。本例では、常用句の全リストを表示した場合を示しているが、テーマ別または感情別に区分して表示することもできる。図７Ｅに示した画面でユーザーにより直接入力が選択された場合には、図７Ｇに示すように、画面の所定部位に文字入力ウィンドウを提供する。そしてユーザーは、キーパッドなどの入力装置を用いて、伝達しようと思うメッセージを作成する。
【００５０】
転送するアイコンや常用句が選択されるか、又は文字の入力が完了すると、図８Ａのように、表示の対象とする端末機を選択するための画面を出力する。すなわち、選択アイコンを自機の画像に合成表示するか、相手機の画像に合成表示するかを選択する。グループ通信を行う場合であれば、多数のグループ通信メンバーのうちの一台を選択することができる。またこの場合、重畳画像をグループ通信メンバー全員に送るか、そのうちのいくつかに選択的に送るように応用することもできる。例えば、Ａ、Ｂ、Ｃの三人がグループ通信をするとき、ユーザーＡの画像にアイコンが合成された画像を、ユーザーＢとＣで見る場合もある。
【００５１】
アイコンを合成する対象の画像（グループ通信の場合に含まれる端末）の選択が行われると、合成するアイコンの表示位置を選択する。ユーザーのディスプレイパネルがタッチパネルである場合、図８Ｂに示すように、スタイラスペン１１２などを用いて、表示しようとする位置を正確に示すことができる。一方、キーパッドを用いてアイコン表示位置を選択する方法は、次の通りである。
【００５２】
図８Ｃに示すように、仮想線１１３で示すように画面を９分割し、その各分割領域にキーパッドの数字を対応させる方法がある。一般的な端末機は３行３列のキーパッド構成を有しており、“１”が左上端部に、“９”が右下端部に配置されている。したがって、このような構成を用いて、アイコンの表示位置を選択することができる。この他にも、図８Ｄに示すように、画面を１２分割する場合もあり得る。
【００５３】
表示位置をさらに細かく設定するために、画面の９分割領域のうちの一つをさらに９個のサブ領域に分割し、該サブ分割領域の位置に該当する番号を選択することもできる。すなわち、キーパッドの二つの数字を用いて、画面を８１分割することができる。最初に入力される数字は９分割された領域の何れか一つを示し、その次に入力される数字は、９分割領域のうちの一つの領域を再び９個に分割した領域の何れか一つの位置を示す。例えば、“５５”は正中央、“１１”は左最上部、“９９”は右最下部をそれぞれ示す。図８Ｄに示すように、１２分割した画面を使用する場合は、左最下端を“＊＊”で示し、右最下端を“＃＃”で示す（Ｓ５１５）。
【００５４】
目的のアイコン及びその表示位置が選択されると、制御部は、対応する選択情報を含んだ画像制御信号を発生する。この場合に発生される画像制御信号は、選択アイコン及びその表示位置の情報だけを含んでいる。すなわち、アイコン自体を送る代わりに、対応するアイコンを示すコードを転送するので、データ量は比較的少ない（Ｓ５１６）。
【００５５】
続いて、発生した制御データを、無線送受信部を介し、パケットフォーマットで相手機へ転送する（Ｓ５１７）。
【００５６】
アイコンを受信する側の端末機における動作は、図５Ｂに示したフローチャートの通りである。
【００５７】
まず、画像通話中に（Ｓ５２１）、アイコン表示制御信号が受信される（Ｓ５２２）。
【００５８】
その受信した画像制御信号を分析し（Ｓ５２３）、該当するアイコン情報をメモリから読み出す（Ｓ５２４）。すなわち、アイコン表示制御データにアイコン自身は含まれていないので、相応のアイコンをメモリから読み出す。次いで、アイコンの表示位置情報を抽出し、ユーザーの画像または相手機から提供されて表示している画像通話の画像において、指定の位置に、メモリから読み出したアイコンを合成する（Ｓ５２５）。
【００５９】
図９Ａ及び図９Ｂは、本発明の実施形態で、二つの端末機のディスプレイ装置にそれぞれアイコンを表示した画面例である。
【００６０】
図９Ａは、ユーザーＡが自分の画像に、笑いを表す“ｚｚｚ”というアイコンを表示する場合を示している。このとき、ユーザーＢの端末機のディスプレイ装置に表示されるユーザーＡの画像に、ユーザーＡの送ったアイコンが合成される。画像制御信号に音データ又は音制御信号を入れられる場合は、所定の端末機で音をつくることも可能である。また、アイコンがアニメーションアイコンの類のものであれば、該アイコンは、端末機のディスプレイ装置に表示されている合成先の画像上で動くことができる。
【００６１】
図９Ｂは、図９Ａと類似しているが、画像通話している相手側のユーザーＢの画像に、ユーザーＡがアイコン“ハート図形・ハート図形”を表示させる場合を示している。すなわち、ユーザーＡの端末機のディスプレイ装置に表示される相手ユーザーＢの画像に表示したアイコンが、相手機でも合成されて表示される。
【００６２】
図９Ｃは、図９Ａと同様であるが、ユーザーＡが、画像通話中の相手機であるユーザーＢのディスプレイ装置に表示されている自身の画像に、常用句を合成表示させる例である。ユーザーＡが文字を直接入力した場合は、ユーザーＡにより入力された文字は、ユーザーＢの端末機のディスプレイ装置に表示されているユーザーＡの画像にも合成される。
【００６３】
本発明の詳細な説明では、具体的な実施形態に関して説明しているが、本発明の範囲から逸脱しない範囲内で多様な形態に変形可能である。例えば、本発明の説明では、画像制御信号を送信する端末機及び受信する端末機の全てに同じアイコンが保有されている場合を例に挙げているが、受信端末機に対応するアイコンイがない場合は、送信端末機から画像制御信号と一緒にアイコンデータも転送する方法を適用できる。
【００６４】
したがって、本発明の範囲は、上述した実施形態に限定されてはならず、特許請求の範囲のみならず、特許請求の範囲と均等なものによって定められるべきである。
【図面の簡単な説明】
【００６５】
本発明のより良い理解を提供するために含まれ、本願に組み入れられて一部を構成する添付図面は、本発明の実施形態を図示し、その説明と共に本発明の原理を表す補助となる。
【図１】従来の画像通話の実行例を示した図である。
【図２】本発明に係る端末機のブロック図である。
【図３】本発明の実施形態に係る画像通話時の画像処理方法のフローチャートである。
【図４Ａ】本発明の実施形態に係る画像処理方法の進行に伴う画面表示例を示した図である。
【図４Ｂ】本発明の実施形態に係る画像処理方法の進行に伴う画面表示例を示した図である。
【図４Ｃ】本発明の実施形態に係る画像処理方法の進行に伴う画面表示例を示した図である。
【図５Ａ】本発明の他の実施形態に係る画像通話時の画像処理方法のフローチャートである。
【図５Ｂ】本発明の他の実施形態に係る画像通話時の画像処理方法のフローチャートである。
【図６】本発明の実施形態に係る端末機の外観を示した図である。
【図７Ａ】本発明の実施形態において、転送するアイコンの選択過程で表示される画面の例を示した図である。
【図７Ｂ】本発明の実施形態において、転送するアイコンの選択過程で表示される画面の例を示した図である。
【図７Ｃ】本発明の実施形態において、転送するアイコンの選択過程で表示される画面の例を示した図である。
【図７Ｄ】本発明の実施形態において、転送するアイコンの選択過程で表示される画面の例を示した図である。
【図７Ｅ】本発明の実施形態において、転送するアイコンの選択過程で表示される画面の例を示した図である。
【図７Ｆ】本発明の実施形態において、転送するアイコンの選択過程で表示される画面の例を示した図である。
【図７Ｇ】本発明の実施形態において、転送するアイコンの選択過程で表示される画面の例を示した図である。
【図８Ａ】本発明の実施形態において、アイコンの表示位置選択過程で表示される画面の例を示した図である。
【図８Ｂ】本発明の実施形態において、アイコンの表示位置選択過程で表示される画面の例を示した図である。
【図８Ｃ】本発明の実施形態において、アイコンの表示位置選択過程で表示される画面の例を示した図である。
【図８Ｄ】本発明の実施形態において、アイコンの表示位置選択過程で表示される画面の例を示した図である。
【図９Ａ】本発明の実施形態において、二つの端末機のディスプレイ装置にそれぞれ表示されるアイコンの例を示した図である。
【図９Ｂ】本発明の実施形態において、二つの端末機のディスプレイ装置にそれぞれ表示されるアイコンの例を示した図である。
【図９Ｃ】本発明の実施形態において、二つの端末機のディスプレイ装置にそれぞれ表示されるアイコンの例を示した図である。
【図１】
2007135195.tif 000003
【図２】
2007135195.tif 000004
【図３】
2007135195.tif 000005
【図４Ａ】
2007135195.tif 000006
【図４Ｂ】
2007135195.tif 000007
【図４Ｃ】
2007135195.tif 000008
【図５Ａ】
2007135195.tif 000009
【図５Ｂ】
2007135195.tif 000010
【図６】
2007135195.tif 000011
【図７Ａ】
2007135195.tif 000012
【図７Ｂ】
2007135195.tif 000013
【図７Ｃ】
2007135195.tif 000014
【図７Ｄ】
2007135195.tif 000015
【図７Ｅ】
2007135195.tif 000016
【図７Ｆ】
2007135195.tif 000017
【図７Ｇ】
2007135195.tif 000018
【図８Ａ】
2007135195.tif 000019
【図８Ｂ】
2007135195.tif 000020
【図８Ｃ】
2007135195.tif 000021
【図８Ｄ】
2007135195.tif 000022
【図９Ａ】
2007135195.tif 000023
【図９Ｂ】
2007135195.tif 000024
【図９Ｃ】
2007135195.tif 000025
【手続補正書】
【提出日】平成19年3月2日(2007.3.2)
【手続補正１】
【補正対象書類名】図面
【補正対象項目名】図８Ｂ
【補正方法】変更
【補正の内容】
【図８Ｂ】
2007135195.tif 000026
【手続補正２】
【補正対象書類名】図面
【補正対象項目名】図８Ｃ
【補正方法】変更
【補正の内容】
【図８Ｃ】
2007135195.tif 000027
【手続補正３】
【補正対象書類名】図面
【補正対象項目名】図８Ｄ
【補正方法】変更
【補正の内容】
【図８Ｄ】
2007135195.tif 000028
【外国語明細書】
2007135195.tif 000029
2007135195.tif 000030
2007135195.tif 000031
2007135195.tif 000032
2007135195.tif 000033
2007135195.tif 000034
2007135195.tif 000035
2007135195.tif 000036
2007135195.tif 000037
2007135195.tif 000038
2007135195.tif 000039
2007135195.tif 000040
2007135195.tif 000041
2007135195.tif 000042
2007135195.tif 000043
2007135195.tif 000044
2007135195.tif 000045
2007135195.tif 000046
2007135195.tif 000047
2007135195.tif 000048
2007135195.tif 000049
2007135195.tif 000050
2007135195.tif 000051
2007135195.tif 000052
2007135195.tif 000053
2007135195.tif 000054
2007135195.tif 000055
2007135195.tif 000056
2007135195.tif 000057
【図１】
2007135195.tif 000058
【図２】
2007135195.tif 000059
【図３】
2007135195.tif 000060
【図４Ａ】
2007135195.tif 000061
【図４Ｂ】
2007135195.tif 000062
【図４Ｃ】
2007135195.tif 000063
【図５Ａ】
2007135195.tif 000064
【図５Ｂ】
2007135195.tif 000065
【図６】
2007135195.tif 000066
【図７Ａ】
2007135195.tif 000067
【図７Ｂ】
2007135195.tif 000068
【図７Ｃ】
2007135195.tif 000069
【図７Ｄ】
2007135195.tif 000070
【図７Ｅ】
2007135195.tif 000071
【図７Ｆ】
2007135195.tif 000072
【図７Ｇ】
2007135195.tif 000073
【図８Ａ】
2007135195.tif 000074
【図８Ｂ】
2007135195.tif 000075
【図８Ｃ】
2007135195.tif 000076
【図８Ｄ】
2007135195.tif 000077
【図９Ａ】
2007135195.tif 000078
【図９Ｂ】
2007135195.tif 000079
【図９Ｃ】
2007135195.tif 000080